(57)【要約】【課題】第一面光源アセンブリー、第二面光源アセンブリー、第一光学シート及び光フィルター素子を含むバックライトモジュールを提供する。【解決手段】第一面光源アセンブリーは、第一発光ユニット及び第一導光板を含む。第二面光源アセンブリーは第一面光源アセンブリーの上方に位置し、かつ第二発光ユニット及び第二導光板を含む。第一光学シートは第二面光源アセンブリーの上方に位置し、かつ第一方向に配列された複数のプリズムピラーを含み、プリズムピラーの先端が第二面光源アセンブリーに向っている。光フィルター素子は第一面光源アセンブリーと第二面光源アセンブリーとの間に位置し、所定の入射角度範囲内の入射光線を透過させる。該バックライトモジュールは広視角モードと狭視角モードの切り換え機能を有する。本発明はさらに、該バックライトモジュールを駆動する駆動方法、及び該バックライトモジュールを有する表示装置を提供する。【選択図】図１
2017098246.tif 000002
【特許請求の範囲】
【請求項１】
バックライトモジュールであって、
第一発光ユニット及び第一導光板を有し、前記第一発光ユニットが前記第一導光板の第一入光面の近傍に位置する第一面光源アセンブリーと、
前記第一面光源アセンブリーの上方に位置し、かつ、第二発光ユニット及び第二導光板を有し、前記第二発光ユニットが前記第二導光板の第二入光面の近傍に位置する第二面光源アセンブリーと、
前記第二面光源アセンブリーの上方に位置し、かつ第一方向に配列された複数のプリズムピラーを含み、前記複数のプリズムピラーの先端が前記第二面光源アセンブリーに向いており、前記第一方向が前記第一入光面及び前記第二入光面に垂直である第一光学シートと、
前記第一面光源アセンブリーと前記第二面光源アセンブリーとの間に位置し、所定の入射角度範囲内の入射光線を透過させる光フィルター素子とを含む、バックライトモジュール。
【請求項２】
前記第一面光源アセンブリーは第一面光源を提供し、前記第二面光源アセンブリーは第二面光源を提供し、
前記第一面光源と前記第二面光源が前記第一光学シートを透過した後、前記第一方向の視角においてそれぞれ第一配光分布と第二配光分布を有し、前記第一配光分布は二つの第一波頂を有し、前記第二配光分布は第二波頂を有し、各前記第一波頂に対応する視角の絶対値が前記第二波頂に対応する視角の絶対値より大きく、かつ前記第一配光分布の半値幅が前記第二配光分布の半値幅より大きい、請求項１に記載のバックライトモジュール。
【請求項３】
前記第一発光ユニットと前記第二発光ユニットが共にオンの場合を広視角モードと定義し、前記第二発光ユニットがオンでありかつ前記第一発光ユニットがオフの場合を狭視角モードと定義する、請求項２に記載のバックライトモジュール。
【請求項４】
前記第一面光源が前記第一導光板から離れる時、前記第一方向の視角において第三配光分布を有し、
前記第二面光源が前記第二導光板から離れる時、前記第一方向の視角において第四配光分布を有し、
前記第三配光分布の半値幅が前記第四配光分布の半値幅より大きい又は等しい、請求項２に記載のバックライトモジュール。
【請求項５】
前記光フィルター素子は回析格子構造を有する、請求項１に記載のバックライトモジュール。
【請求項６】
前記バックライトモジュールは、前記第一導光板と前記光フィルター素子との間に位置する少なくとも一つの第二光学シートをさらに含む、請求項１に記載のバックライトモジュール。
【請求項７】
前記バックライトモジュールは、前記第二導光板と前記光フィルター素子との間に位置する透明バック板をさらに含み、
前記透明バック板は、前記第二導光板からの光線の一部を反射させ、かつ一部を透過させる、請求項１に記載のバックライトモジュール。
【請求項８】
前記バックライトモジュールは、前記第一導光板の下方に位置するバック板をさらに含む、請求項１に記載のバックライトモジュール。
【請求項９】
前記バックライトモジュールは、前記第一光学シートの上方に位置する第三光学シートをさらに含む、請求項１に記載のバックライトモジュール。
【請求項１０】
請求項１に記載のバックライトモジュールを駆動させるバックライトモジュールの駆動方法であって、
広視角面光源を提供したい場合、前記バックライトモジュールの前記第一発光ユニットと前記第二発光ユニットを発光させるステップと、
狭視角面光源を提供したい場合、前記第二発光ユニットを発光させ、かつ前記第一発光ユニットをオフするステップとを含む、バックライトモジュールの駆動方法。
【請求項１１】
前記第一発光ユニット又は前記第二発光ユニットを発光させる場合、前記第一発光ユニット又は前記第二発光ユニットに入力される電流を調整するステップをさらに含む、請求項１０に記載のバックライトモジュールの駆動方法。
【請求項１２】
表示装置であって、
請求項１ないし９のいずれか一項に記載のバックライトモジュールと、
前記バックライトモジュールの上方に配置された表示パネルとを含む、表示装置。
【発明の詳細な説明】
【技術分野】
【０００１】
本発明は面光源モジュールに関し、特にバックライトモジュールとその駆動方法、及び当該バックライトモジュールを有する表示装置に関する。
【背景技術】
【０００２】
平面表示技術の進歩に伴い、平面表示装置が伝統的なブラウン管（ｃａｔｈｏｄｅ  ｒａｙ  ｔｕｂｅ、ＣＲＴ）表示装置の大部分を取って代わっている。現在よく見られる平面表示装置は、液晶表示装置（ｌｉｑｕｉｄ  ｃｒｙｓｔａｌ  ｄｉｓｐｌａｙ  ａｐｐａｒａｔｕｓ）、有機発光ダイオード表示装置（ｏｒｇａｎｉｃ  ｌｉｇｈｔ  ｅｍｉｔｔｉｎｇ  ｄｉｏｄｅ  ｄｉｓｐｌａｙ  ａｐｐａｒａｔｕｓ）、電気泳動表示装置（ｅｌｅｃｔｒｏｐｈｏｒｅｔｉｃ  ｄｉｓｐｌａｙ  ａｐｐａｒａｔｕｓ）などを含み、そのうち、液晶表示装置の普及率が最も高い。
【０００３】
従来の液晶表示装置を視角で分けると、大まかに二種類に分類され、それぞれ狭視角液晶表示装置及び広視角液晶表示装置である。狭視角液晶表示装置はプライバシー保護性が比較的に高く、広視角液晶表示装置は大人数の同時観賞に適している。
【０００４】
しかし、異なる状況によってユーザが異なる表示ニーズを有することがある。従来の液晶表示装置は狭視角表示モードと広視角表示モードの切り換え機能を提供できないため、その使用上に多々不便が生じている。
【０００５】
この「背景技術」部分は本発明の内容に関する理解を助けるものであり、「背景技術」に開示された内容には当業者の周知技術を構成しないものが含まれている可能性がある。また、「背景技術」に開示された内容は、前記内容又は本発明の一つ又は複数の実施例が解決しようとする問題を示すものではなく、また本発明がその出願前に既に当業者に承知又は把握されていたことを意味するものでもない。
【発明の概要】
【発明が解決しようとする課題】
【０００６】
本発明はバックライトモジュールとその駆動方法、及び当該バックライトモジュールを有する表示装置を提供する。
【課題を解決するための手段】
【０００７】
本発明は、広視角モード及び狭視角モードの切り換え機能を有するバックライトモジュールを提供する。
【０００８】
本発明はさらにバックライトモジュールの駆動方法を提供し、バックライトモジュールを駆動して狭視角面光源又は広視角面光源を適時に提供する。
【０００９】
本発明はさらに広視角表示モード及び狭視角表示モードの切り換え機能を有する表示装置を提供する。
【００１０】
本発明のその他の目的と利点について、本発明が開示する技術的特徴から一層理解を深めることができる。
【００１１】
前記一つ又は一部又はすべて目的又はその他の目的を達成するために、本発明の一実施例は、第一面光源アセンブリー、第二面光源アセンブリー、第一光学シート及び光フィルター素子を含むバックライトモジュールを提供する。第一面光源アセンブリーは、第一発光ユニット及び第一導光板を含み、第一発光ユニットは第一導光板の第一入光面の近傍に位置する。第二面光源アセンブリーは第一面光源アセンブリーの上方に位置し、かつ第二発光ユニット及び第二導光板を含み、第二発光ユニットは第二導光板の第二入光面の近傍に位置する。第一光学シートは第二面光源アセンブリーの上方に位置し、かつ第一方向に配列された複数のプリズムピラーを含み、プリズムピラーの先端が第二面光源アセンブリーに向っている。第一方向は第一入光面及び第二入光面に垂直である。光フィルター素子は第一面光源アセンブリーと第二面光源アセンブリーとの間に位置し、所定の入射角度範囲内の入射光線を透過させる。
【発明の効果】
【００１２】
本発明の実施例のバックライトモジュール及びその駆動方法において、第一発光ユニット及び第二発光ユニットを共にオンにすることで、広視角面光源を提供し、第一発光ユニットをオフにして、かつ第二発光ユニットをオンにすることで、狭視角面光源を提供する。従って、本発明の実施例のバックライトモジュールは狭視角モードと広視角モードの切り換え機能を有するため、このバックライトモジュールを用いた表示装置も狭視角表示モードと広視角表示モードの切り換え機能を有する。
【００１３】
本発明の前記及びその他の技術内容、特徴及び効果を明確に示すべく、以下は図面を参照しながらその好ましい実施例について詳しく説明する。
【図面の簡単な説明】
【００１４】
【図１】本発明の一実施例のバックライトモジュールの概略図である。
【図２Ａ】図１のバックライトモジュールの広視角モードの概略図である。
【図２Ｂ】図１のバックライトモジュールの狭視角モードの概略図である。
【図３Ａ】本発明の一実施例の第一面光源が第一光学シートを透過した後の第一配光分布の概略図である。
【図３Ｂ】本発明の一実施例の第二面光源が第一光学シートを透過した後の第二配光分布の概略図である。
【図４】本発明の一実施例の広視角面光源と狭視角面光源の配光分布の概略図である。
【図５】本発明の一実施例において、第一面光源が第一導光板から離れた時の第三配光分布、及び第二面光源が第二導光板から離れた時の第四配光分布の概略図である。
【図６】本発明の一実施例の表示装置の概略図である。
【発明を実施するための形態】
【００１５】
本発明の前記及びその他の技術内容、特徴及び効果を明確に示すべく、以下は図面を参照しながらその好ましい実施例について詳しく説明する。以下の実施例で言及される方向用語、例えば、上、下、左、右、前又は後などは、図面の参照のみに用いられる方向である。従って、これらの方向用語は説明目的に用いられたものであり、本発明を制限するものではない。
【００１６】
図１は本発明の一実施例のバックライトモジュールの概略図である。図１を参照すると、本実施例のバックライトモジュール１００は第一面光源アセンブリー１１０、第二面光源アセンブリー１２０、第一光学シート１３０及び光フィルター素子１４０を含む。第一面光源アセンブリー１１０は第一発光ユニット１１１及び第一導光板１１２を含み、第一導光板１１２は対向する第一出光面１１４と第一底面１１５、及び第一出光面１１４と第一底面１１５との間に位置する第一入光面１１３を有し、第一発光ユニット１１１が第一導光板１１２の第一入光面１１３の近傍に位置する。第二面光源アセンブリー１２０は第一面光源アセンブリー１１０の上方に位置し、かつ第二発光ユニット１２１及び第二導光板１２２を含み、第二導光板１２２は対向する第二出光面１２４と第二底面１２５、及び第二出光面１２４と第二底面１２５との間に位置する第二入光面１２３を有し、第二発光ユニット１２１は第二導光板１２２の第二入光面１２３の近傍に位置する。第一光学シート１３０は第二面光源アセンブリー１２０の上方に位置し、かつ第一方向（例えば、Ｘ軸方向）に配列された複数のプリズムピラー１３１を含み、プリズムピラー１３１の先端１３２が第二面光源アセンブリー１２０に向っている。本実施例において、プリズムピラー１３１の軸延伸方向が第二方向（例えば、Ｚ軸方向）へ延伸し、かつ第一方向が第二方向に垂直である。光フィルター素子１４０は第一面光源アセンブリー１１０と第二面光源アセンブリー１２０との間に位置し、かつ光フィルター素子１４０は所定の入射角度範囲内の入射光線を透過させる。
【００１７】
前記第一発光ユニット１１１は光線を提供し、この光線が第一入光面１１３から第一導光板１１２内に進入し、第一導光板１１２は光線を変換して、第一導光板１１２の第一出光面１１４から出射する第一面光源にする。前記第二発光ユニット１２１は光線を提供し、この光線が第二入光面１２３から第二導光板１２２内に進入し、第二導光板１２２は光線を変換して、第二導光板１２２の第二出光面１２４から出射する第二面光源にする。第一発光ユニット１１１と第二発光ユニット１２１は、例えば、いずれも基板（図示せず）及び基板上に配置された複数の発光素子（図示せず）、例えば発光ダイオードを含むが、これに限定されない。本発明は、第一発光ユニット１１１及び第二発光ユニット１２１の種類ついて限定しない。また、第一導光板１１２の第一底面１１５及び第二導光板１２２の第二底面１２５において、光線が第一出光面１１４及び第二出光面１２４から出射される際の光の型を調整するための微構造（図示せず）を設けることができる。前記微構造は網点、溝などであってもよいが、これに限定されない。
【００１８】
前記第一光学シート１３０は、例えば逆プリズムシート又は逆プリズムシート構造を有する複合式光学シートであり、入射角度の異なる光線が第一光学シート１３０から出射させる際に異なる出射角度になるようにできる。プリズムピラー１３１の第一表面１３３から入射される光線を例にすると、入射角度が比較的に大きい場合、光線が第二表面１３４まで屈折され、かつ第二表面１３４に反射された後、比較的に小さい出射角度で第一光学シート１３０の出光側１３５から出射される。入射角度が比較的に小さい場合、光線が屈折された後そのまま比較的に大きい出射角度で第一光学シート１３０の出光側１３５から出射される。また、各プリズムピラー１３１の軸延伸方向が例えばＺ軸方向と平行である。各プリズムピラー１３１の先端１３２に面取り処理、例えば丸面取りが施してもよい。
【００１９】
前記光フィルター素子１４０は、例えば複数の透光部と複数の遮光部が交互に配列された回析格子構造（図示せず）を有し、透光部は入射された光線を透過させ、遮光部は入射された光線を反射又は吸収する。一実施例において、前記透光部は光フィルター素子中の透過孔、溝などであり、前記遮光部は光吸収材料又は光反射材料によって構成され、ここで、光吸収材料は例えば黒色の樹脂などであり、光反射材料は金属材料又は白色の材料などである。光フィルター素子１４０における入光側と出光側の間の前記遮光部の厚さＨ、及び前記遮光部の配列密度（隣接する遮光部間の距離Ｗ）を制御することにより、所定の入射角度θ＝ｔａｎ−１（Ｗ／Ｈ）範囲より小さい入射光線を透過させ、この所定の入射角度θ範囲を超える入射光線がこの光フィルター素子１４０を透過できないようにする。
【００２０】
本実施例において、バックライトモジュール１００はさらに、第一面光源を均等化させ、又は第一面光源の配光分布を調整するために、第一導光板１１２と光フィルター素子１４０との間に位置する少なくとも一つの第二光学シート１５０を含んでもよい。図１は複数枚の第二光学シート１５０を有する例を示している。これらの第二光学シート１５０は、例えば拡散シート１５１、プリズムシート１５２及び拡散シート１５３を含み、かつプリズムシート１５２が拡散シート１５１と拡散シート１５３との間に位置するが、本発明は第二光学シート１５０の数、種類及びその配列順番について限定しない。例えば、プリズムシート１５２の上方に位置する拡散シート１５３を省略、又はデュアル輝度強化フィルム（ｄｕａｌ  ｂｒｉｇｈｔｎｅｓｓ  ｅｎｈａｎｃｅｍｅｎｔ  ｆｉｌｍ、ＤＢＥＦ）に変えることができる。プリズムシート１５２の下方に位置する拡散シート１５１を省略することができる。本実施例において、プリズムシート１５２は一枚であり、かつそのプリズムピラーの軸延伸方向が第二方向（例えば、Ｚ軸方向）へ延伸しているため、プリズムシート１５２のプリズムピラーの軸延伸方向が第一光学シート１３０のプリズムピラー１３１の軸延伸方向と同じ。一実施例において、プリズムシート１５２の軸延伸方向がプリズムピラー１３１の軸延伸方向に垂直であってもよい。別の実施例において、プリズムシート１５２は２枚あって、かつそのプリズムピラーの延伸方向が互いに交差する（例えば、互いに垂直である）。また、バックライトモジュール１００はさらに、第一面光源及び第二面光源を均等化させ、又は第一面光源及び第二片光源の配光分布を調整するために、第一光学シート１３０の上方に位置する第三光学シート１６０を含むことができる。第三光学シート１６０は例えば拡散シート１５３又はデュアル輝度強化フィルムであるが、これに限定されない。また、バックライトモジュール１００はさらに、第二面光源アセンブリー１２０を支えるために、第二導光板１２２と光フィルター素子１４０との間に位置する透明バック板１７０を含むことができる。透明バック板１７０も第二面光源アセンブリー１２０からの光線の一部を反射させ、一部を透過させる。バックライトモジュール１００はさらに、第一面光源アセンブリー１１０を支えるために、第一導光板１１２の下方に位置するバック板１８０を含むことができる。かつ、バック板１８０は第一導光板１１２の第一底面１１５から出射される光線を再度第一導光板１１２内へ反射することにより、光利用効率を上げることができる。このバック板１８０は金属バック板又は反射層を塗布したバック板であってもよいが、これに限定されない。なお、前記第二光学シート１５０、第三光学シート１６０、透明バック板１７０及びバック板１８０はいずれも選択的に設置される素子である。
【００２１】
以下は、前記バックライトモジュール１００を駆動することができる、本発明の一実施例のバックライトモジュールの駆動方法を説明する。まず図２Ａを参照すると、図２Ａは図１のバックライトモジュールの広視角モードの概略図である。本実施例のバックライトモジュールの駆動方法は、広視角面光源を提供したい時、バックライトモジュール１００の第一発光ユニット１１１と第二発光ユニット１２１を発光させることを含む。また、図２Ｂを参照すると、図２Ｂは図１のバックライトモジュールの狭視角モードの概略図である。本実施例のバックライトモジュールの駆動方法において、狭視角面光源を提供したい時、第二発光ユニット１２１を発光させ、かつ第一発光ユニット１１１をオフにすることも含む。
【００２２】
具体的に言うと、第一発光ユニット１１１がオンの時、光線Ｌ１は主に比較的に小さい入射角度で第一光学シート１３０のプリズムピラー１３１の第一表面１３３及び第二表面１３４に入射されるため、比較的に大きい出射角度で第一光学シート１３０の出光側１３５から出射される。第二発光ユニット１２１がオンの時、光線Ｌ２は主に比較的に大きい入射角度で図１の第一光学シート１３０のプリズムピラー１３１の第一表面１３３及び第二表面１３４に入射されるため、比較的に小さい出射角度で第一光学シート１３０の出光側１３５から出射される。第一発光ユニット１１１と第二発光ユニット１２１が共にオンの時、出射角度が比較的に大きい光線Ｌ１と出射角度が比較的に小さい光線Ｌ２は第一光学シート１３０の出光側１３５から出射され、重なった後、広視角面光源を形成することができる。従って、第一発光ユニット１１１と第二発光ユニット１２１が共にオンの時、広視角モードと定義することができる。一方、第一発光ユニット１１１がオフで、第二発光ユニット１２１がオンの時、出射角度が比較的に小さい光線Ｌ２が第一光学シート１３０の出光側１３５から出射された後、狭視角面光源が形成される。従って、第二発光ユニット１２１がオンで、かつ第一発光ユニット１１１がオフの時、狭視角モードと定義することができる。
【００２３】
一実施例において、第一面光源アセンブリー１１０の提供する第一面光源が第一光学シート１３０を透過した後の第一配光分布は例えば図３Ａが示すものであり、第二面光源アセンブリー１２０の提供する第二面光源が第一光学シート１３０を透過した後の第二配光分布は例えば図３Ｂが示すものである。図３Ａと図３Ｂを参照すると、第一面光源と第二面光源は前記第一光学シート１３０を透過した後、第一方向（例えば、図１のＸ軸方向と平行）の視角においてそれぞれ第一配光分布Ｃ１と第二配光分布Ｃ２を有する。この第一方向は例えば前記各プリズムピラー１３１の延伸方向に垂直であり、かつ前記各プリズムピラー１３１の並列方向と平行である。かつ、第一方向は例えば前記第一入光面１１３及び第二入光面１２３に垂直な方向である。また、第一配光分布Ｃ１は２つの第一波頂Ｐ１を有し、第二配光分布Ｃ２は第二波頂Ｐ２を有し、各第一波頂Ｐ１に対応する視角の絶対値は例えば第二波頂Ｐ２に対応する視角の絶対値より大きく、かつ第一配光分布Ｃ１の半値幅Ｗ１は例えば第二配光分布Ｃ２の半値幅Ｗ２より大きい。図３Ａからわかるように、第一面光源によって形成される第一配光分布Ｃ１において、視角が比較的に大きい部分（２つの第一波頂Ｐ１のところ）の光強度は、視角が比較的に小さい部分（２つの第一波頂Ｐ１間の波の谷部分）より強い。
【００２４】
図４は本発明の一実施例の広視角面光源と狭視角面光源の配光分布の概略図である。図４を参照すると、前記第一配光分布Ｃ１と第二配光分布Ｃ２の広視角モードの広視角面光源の配光分布はＣｗであり、狭視角モードの狭視角面光源の配光分布はＣｎである。広視角面光源の配光分布Ｃｗの半値幅Ｗｗは確かに狭視角面光源の配光分布Ｃｎの半値幅Ｗｎより大きい。配光分布Ｃｗからわかるように、本実施例は広視角モードの時、第一発光ユニット１１１と第二発光ユニット１２１を共にオンにすることで、第二面光源の視角が比較的に小さい部分の光強度は第一面光源の視角が比較的に小さい部分の光強度が不足する部分を補うことができるため、本実施例の広視角モードは、第一面光源を単独に駆動、発光させた場合の視角が比較的に小さい部分を第二面光源によって最適化することができる。
【００２５】
以上からわかるように、本実施例のバックライトモジュール１００は広視角モード及び狭視角モードの切り換え機能を有しことが可能であり、ユーザが使用ニーズによって広視角モード又は狭視角モードを選択することができる。また、一実施例のバックライトモジュールの駆動方法において、第一発光ユニット１１１又は第二発光ユニット１２１をオンにする時、必要な配光分布が得られるよう、さらに第一発光ユニット１１１又は第二発光ユニット１２１に入力される電流を調整してもよい。具体的に言うと、広視角モードの時、第一発光ユニット１１１及び／又は第二発光ユニット１２１の電流を調整することで、広視角面光源の配光分布を調整し、狭視角モードの時、第二発光ユニット１２１の電流を調整することで、狭視角面光源の配光分布を調整することができる。
【００２６】
なお、図２Ｂが示すように、第二発光ユニット１２１が提供する光線Ｌ２の一部は第二導光板１２２の第二底面１２５を透過して第二光学シート１５０へ伝達される。光フィルター素子１４０が設置されていない場合、第二底面１２５から漏れた光線Ｌ２が第二光学シート１５０に伝達された時に散乱が生じ、この散乱された光線中の一部が比較的に小さい入射角度で第一光学シート１３０に入射され、かつ比較的に大きい出射角度で第一光学シート１３０の出光側１３５から出射され、さらに狭視角モード時のコントラスト表現を影響する。本実施例のバックライトモジュール１００は、光フィルター素子１４０が設置されているため、第二底面１２５から漏れた光線Ｌ２の僅かな部分のみ（例えば、約１０~２０％）が光フィルター素子１４０を透過して第二光学シート１５０へ伝達されて散乱が生じる。この散乱された光線のうち僅かな部分のみ（例えば、約１０~２０％）が光フィルター素子１４０を透過して第一光学シート１３０まで伝達されるため、第一光学シート１３０まで伝達される散乱光を大幅に低減させ、散乱光が狭視角モード時のコントラスト表現に対する影響を低減させ、狭視角モードのコントラスト表現を高めることができる。
【００２７】
また、透明バック板１７０は第二導光板１２２からの光線Ｌ２の一部を反射させ、一部を透過させることができるため、第二底面１２５から漏れた光線Ｌ２の一部を反射させて、第二導光板１２２内に戻し、光利用率を高めることができる。
【００２８】
図５は本発明の一実施例における、第一面光源が第一導光板から離れる時の第三配光分布、及び第二面光源が第二導光板から離れる時の第四配光分布の概略図である。図５を参照すると、第一面光源が前記第一導光板１１２から離れる時、第一方向（例えば、図１のＸ軸に平行な方向）の視角おいて第三配光分布Ｃ３を有し、第二面光源が第二導光板１２２から離れる時、第一方向（例えば、図１のＸ軸に平行な方向）の視角において第四配光分布Ｃ４を有し、第三配光分布Ｃ３の半値幅Ｘ３が例えば第四配光分布Ｃ４の半値幅Ｗ４より大きい、又は等しい。つまり、第一導光板１１２は例えば広視角導光板であり、第二導光板１２２は例えば狭視角導光板である。別の実施例において、第一導光板１１２として、視角が第二導光板１２２より大きい狭視角導光板を選択してもよい。
【００２９】
図６は本発明の一実施例の表示装置の概略図である。図６を参照すると、本実施例の表示装置２００は表示パネル２１０及び前記バックライトモジュール１００を含み、表示パネル２１０がバックライトモジュール１００の上方に配置される。表示パネル２１０は液晶表示パネル又はその他の非自己発光表示パネルであってもよい。
【００３０】
バックライトモジュール１００が広視角モードと狭視角モードの切り換え機能を有し、使用ニーズに応じて表示パネル２１０に広視角面光源又は狭視角面光源を提供できるため、本実施例の表示装置２００は広視角表示モードと狭視角表示モードの切り換え機能を有し、使用利便性を高めることができる。
【００３１】
以上を纏めると、本発明の実施例のバックライトモジュール及びその駆動方法において、第一発光ユニット及び第二発光ユニットを共にオンにすることで、広視角面光源を提供し、第一発光ユニットをオフにして、かつ第二発光ユニットをオンにすることで、狭視角面光源を提供する。従って、本発明の実施例のバックライトモジュールは狭視角モードと広視角モードの切り換え機能を有するため、このバックライトモジュールを用いた表示装置も狭視角表示モードと広視角表示モードの切り換え機能を有する。
【００３２】
以上は本発明の好ましい実施例のみであり、本発明の実施範囲はこれら限定されず、即ち、本発明の請求項及び明細書の記載範囲内に行った簡単かつ等効果な変更又は修正も本発明の範囲に属する。また、本発明の任意の実施例又は請求項は必ずしも本発明が開示した全部の目的又は利点又は特徴を達成する必要がない。さらに、要約書と発明の名称は特許文献検索のために供するものであり、本発明の請求範囲を制限するものではない。また、本明細書又は請求項で言及される「第一」、「第二」などの用語は単に素子（ｅｌｅｍｅｎｔ）を命名するための名称、又は異なる実施例若しくは範囲を区別するためのものであり、素子の数量の上限値又は下限値を制限するものではない。
【符号の説明】
【００３３】
１００      バックライトモジュール
１１０      第一面光源アセンブリー
１１１      第一発光ユニット
１１２      第一導光板
１１３      第一入光面
１１４      第一出光面
１１５      第一底面
１２０      第二面光源アセンブリー
１２１      第二発光ユニット
１２２      第二導光板
１２３      第二入光面
１２４      第二出光面
１２５      第二底面
１３０      第一光学シート
１３１      プリズムピラー
１３２      先端
１３３      第一表面
１３４      第二表面
１３５      出光側
１４０      光フィルター素子
１５０      第二光学シート
１５１、１５３      拡散シート
１５２      プリズムシート
１６０      第三光学シート
１７０      透明バック板
１８０      バック板
２００      表示装置
２１０      表示パネル
Ｃ１      第一配光分布
Ｃ２      第二配光分布
Ｃ３      第三配光分布
Ｃ４      第四配光分布
Ｃｎ      狭視角面光源の配光分布
Ｃｗ      広視角面光源の配光分布
Ｌ１、Ｌ２      光線
Ｐ１      第一波頂
Ｐ２      第二波頂
Ｗ１、Ｗ２、Ｗ３、Ｗ４、Ｗｎ、Ｗｗ      半値幅
【図１】
2017098246.tif 000003
【図２Ａ】
2017098246.tif 000004
【図２Ｂ】
2017098246.tif 000005
【図３Ａ】
2017098246.tif 000006
【図３Ｂ】
2017098246.tif 000007
【図４】
2017098246.tif 000008
【図５】
2017098246.tif 000009
【図６】
2017098246.tif 000010